(57)【要約】【課題】交換レンズに供給する電源を高い電圧から低い電圧に切り替える際、交換レンズの負荷容量、負荷電流によらず、電圧切替に要する時間を抑えつつ、電圧切替時のアンダーシュートを抑えることを可能にした撮像装置を提供すること。【解決手段】第一の電圧で通信可能な交換レンズと、前期第一の電圧と第一の電圧よりも低い第二の電圧で通信可能な交換レンズとが選択的に装着可能な撮像装置であって、交換レンズに電源を供給する端子と、電源を供給する端子に電源を供給する電源供給部を有し、前記、電源供給部は交換レンズに供給する電圧を選択的に切り替える電圧切替部と、交換レンズの負荷容量から電荷を抜くための電流値を選択可能なディスチャージ部を有し、交換レンズに供給する電圧を第一の電圧から第一の電圧より低い第二の電圧に切り替える際に、前記ディスチャージ部の電流値を、交換レンズの負荷容量、負荷電流に応じて選択することを特徴とする。【選択図】図１
2017146325.tif 000002
【特許請求の範囲】
【請求項１】
第一の電圧で通信可能な交換レンズ（２）と、前期第一の電圧と第一の電圧よりも低い第二の電圧で通信可能な交換レンズ（２）とが選択的に装着可能な撮像装置（１）であって、交換レンズ（２）に電源を供給する端子（３ａ）と、電源を供給する端子（３ａ）に電源を供給する電源供給部（６）を有し、前記、電源供給部（６）は交換レンズ（２）に供給する電圧を選択的に切り替える電圧切替部（２０）と、交換レンズ（２）の負荷容量から電荷を抜くための電流値を選択可能なディスチャージ部（２１）を有し、交換レンズに供給する電圧を第一の電圧から第一の電圧より低い第二の電圧に切り替える際に、前記ディスチャージ部（２１）の電流値を、交換レンズ（２）の負荷容量、負荷電流に応じて選択することを特徴とする撮像装置（１）。
【請求項２】
前記交換レンズ（２）の負荷容量、負荷電流を含む情報を前記交換レンズ（２）と前記撮像装置（１）との間の通信において取得することを特徴とする請求項１に記載の撮像装置（１）。
【請求項３】
前記交換レンズ（２）に供給する電圧をモニタする電圧検出部（１１）を有し、交換レンズに供給する電圧の切替時に、前記電圧検出部（１１）によって電圧が所定値まで低下したことを検知したら前記ディスチャージ部（２１）によるディスチャージを停止させることを特徴とする請求項１に記載の撮像装置（１）。
【発明の詳細な説明】
【技術分野】
【０００１】
本発明は、撮像装置に関し、特に第一の電圧で通信可能な交換レンズと、前記第一の電圧と、第一の電圧よりも低い第二の電圧で通信可能な交換レンズが選択的に装着可能な撮像装置に関する。
【背景技術】
【０００２】
撮像装置に装着される交換レンズは、撮像装置から電圧の供給を受けて動作している。ただし、交換レンズはその種類によって動作電圧が異なる場合がある。異なる複数の種類の交換レンズを撮像装置に装着できるようにするため、装着された交換レンズの種類に応じて、撮像装置が交換レンズに供給する電圧を切り替える技術が開示されている。
【０００３】
特許文献１では、撮像装置が交換レンズに、全ての種類の交換レンズが動作可能な電源電圧を一旦供給し、その後装着された交換レンズがより低い電源電圧で動作可能である場合に、交換レンズに供給する電源電圧を低い電圧に切り換える。
【０００４】
特許文献２では、交換レンズ装着時、撮像装置がレンズに電圧を供給する前に交換レンズの種別を判定し、対応した通信電圧を供給する。
【先行技術文献】
【特許文献】
【０００５】
【特許文献１】特開平９−９０４８８号公報
【特許文献２】特開２０１３−２３１９４６号公報
【発明の概要】
【発明が解決しようとする課題】
【０００６】
しかしながら、前述の特許文献１に開示された従来技術は、撮像装置が交換レンズに供給する電圧を高い電圧から低い電圧に下げる際、交換レンズの負荷容量、負荷電流によって、交換レンズの負荷容量から電荷が抜けるのに要する時間が異なる。
【０００７】
そのため、交換レンズの負荷容量、負荷電流によって電圧切替のスルーレートが異なってしまう。スルーレートが遅い場合、電圧切替完了までに要する時間が増大してしまう。スルーレートが急峻な場合、レンズ電源電圧のアンダーシュートにより、レンズ内のマイコンにリセットがかかったり、誤動作が発生したりする懸念がある。
【０００８】
特許文献２に開示された従来技術は、撮像装置が交換レンズに電源を供給する前に、交換レンズの電源に供給する電圧を決定するため電圧切替がそもそも不要である。
【０００９】
しかし、電源供給前に交換レンズの種別を判別するために判別手段としてレンズ種別判別専用のマウント端子を備える必要があり、従来のマウントを持つ撮像装置や交換レンズとの互換性が失われる。
【００１０】
本発明の目的は、交換レンズに供給する電源を高い電圧から低い電圧に切り替える際、交換レンズの負荷容量、負荷電流によらず、電圧切替に要する時間を抑えつつ、電圧切替時のアンダーシュートを抑えることを可能にした撮像装置を提供することにある。
【課題を解決するための手段】
【００１１】
上記の目的を達成するために、本発明に係る撮像装置は、
第一の電圧で通信可能な交換レンズと、前期第一の電圧と第一の電圧よりも低い第二の電圧で通信可能な交換レンズとが選択的に装着可能な撮像装置であって、交換レンズに電圧を供給する端子と、交換レンズに供給する電圧を選択的に切り替える電圧切替部と、交換レンズの負荷容量から電荷を抜くための電流値を選択可能なディスチャージ部を有し、交換レンズに供給する電圧を第一の電圧から第一の電圧より低い第二の電圧に切り替える際に、前記ディスチャージ部の電流値を、交換レンズの負荷容量、負荷電流に応じて選択することを特徴とする。
【発明の効果】
【００１２】
本発明によれば、装着された交換レンズの負荷容量、負荷電流によらず、交換レンズに供給する電圧の切替に要する時間を抑えつつ、電圧切替時のアンダーシュートを抑えることを可能にした撮像装置を提供することができる。
【図面の簡単な説明】
【００１３】
【図１】本発明の実施例１における撮像装置１（以下、カメラ１という）と交換レンズ２のブロック図、及び電圧供給部６の詳細を示す図
【図２】本発明の実施例１におけるカメラ１と交換レンズ２において、カメラ１が交換レンズ２の装着を検知してから、ＶＤＤ端子電圧の設定が完了し、カメラ１と交換レンズ２が通信を開始するまでの動作を示すフローチャート
【図３】本発明の実施例１におけるカメラ１と交換レンズ２における、ＭＩＦ端子３ｅ、ＶＤＤ端子３ａ、カメラマイコン４から出力される制御信号ＤＩＳ＿ＯＮの動作を示すタイムチャート
【図４】本発明の実施例２におけるカメラ１と交換レンズ２において、カメラ１が交換レンズ２の装着を検知してから、ＶＤＤ端子電圧の設定が完了し、カメラ１と交換レンズ２が通信を開始するまでの動作を示すフローチャート
【図５】本発明の実施例３におけるカメラ１と交換レンズ２において、カメラ１が交換レンズ２の装着を検知してから、ＶＤＤ端子電圧の設定が完了し、カメラ１と交換レンズ２が通信を開始するまでの動作を示すフローチャート
【図６】本発明の実施例３におけるカメラ１と交換レンズ２における、ＭＩＦ端子３ｅ、ＶＤＤ端子３ａ、カメラマイコン４から出力される制御信号ＤＩＳ＿ＯＮの動作を示すタイムチャート
【発明を実施するための形態】
【００１４】
以下、本発明の好ましい実施の形態を、添付の図面に基づいて詳細に説明する。
【００１５】
なお、以下に説明する実施の形態は、本発明の実現手段としての一例であり、本発明が適用される装置の構成や各種条件によって適宜修正又は変更されても良い。また、各実施の形態は適宜組み合わされることも可能である。
【実施例１】
【００１６】
図１（Ａ）は本発明に係るカメラ１と交換レンズ２のブロック図である。
【００１７】
カメラ１と交換レンズ２は互いを電気的に接続するマウント３をそれぞれ有する。
【００１８】
＜マウント３の構成＞
マウント３はＶＤＤ端子３ａと、ＬＣＬＫ端子３ｂと、ＤＣＬ端子３ｃと、ＤＬＣ端子３ｄと、ＭＩＦ端子３ｅと、ＧＮＤ端子３ｆを備えている。
【００１９】
ＶＤＤ端子３ａはカメラ１から交換レンズ２に電源を供給するための端子である。
【００２０】
ＬＣＬＫ端子３ｂ、ＤＣＬ端子３ｃ、ＤＬＣ端子３ｄはカメラ１と交換レンズ２の間で通信を行うための端子である。ＬＣＬＫ端子３ｂはカメラ１から交換レンズ２へ出力するクロック信号用の端子である。ＤＣＬ端子３ｃはカメラ１から交換レンズ２へのデータ信号用の端子である。ＤＬＣ端子３ｄは交換レンズ２からカメラ１へのデータ信号用の端子である。
【００２１】
ＭＩＦ端子３ｅはカメラ１に交換レンズ２が装着されたことを検知するための端子である。ＧＮＤ端子３ｆは接地端子である。カメラ１に交換レンズ２が装着されている時はＭＩＦ端子３ｅとＧＮＤ端子３ｆとが導通する。
【００２２】
＜カメラ１の構成＞
カメラ１の内部には、カメラマイコン４と、電源生成部５と、電圧供給部６と、レベルシフタ部７と、電流測定部１２と、電流検出部１１がある。
【００２３】
カメラマイコン４は、例えばＣＰＵのようなマイコンであり、カメラ１内の各部の動作を制御する。また、レベルシフタ部７、マウント３、レベルシフタ部１０を介して、交換レンズ２内のレンズマイコン８と通信を行う。
【００２４】
電源生成部５は、例えばスイッチングレギュレータやリニアレギュレータのような電源回路であり、カメラ１内の各回路の動作に必要な電源や、ＶＤＤ端子３ａを介して交換レンズ２に供給する電源を生成する。
【００２５】
電圧供給部６はＶＤＤ端子３ａに電源を供給する。また、ＶＤＤ端子３ａの電圧の切替を行う。電圧供給部６の構成の詳細は後述する。
【００２６】
レベルシフタ部７は、例えばレベルシフト回路であり、カメラマイコン４から出力される３．３Ｖのクロック信号およびデータ信号を、電圧供給部６から出力されるＶＤＤ端子３ａの電圧と同じ電圧に変換して、ＬＣＬＫ端子３ｂ、ＤＣＬ端子３ｃに出力する。また、ＶＤＤ端子３ａと同じ電圧でＤＬＣ端子３ｄから入力されるデータ信号を、カメラマイコン４に入力可能な３．３Ｖの電圧に変換する。
【００２７】
電圧検出部１１は、例えばコンパレータであり、ＶＤＤ端子３ａの電圧を検出し、カメラマイコン４に伝える。
【００２８】
電流測定部１２は、例えばシャント抵抗であり、ＶＤＤ端子３ａに流れ込む電流値を電圧に変換し、カメラマイコン４の入力端子へ出力する。
【００２９】
カメラマイコン４は入力端子の電圧をモニタすることでＶＤＤ端子３ａに流れ込む電流値を測定することができる。
【００３０】
＜交換レンズ２の構成＞
交換レンズ２の内部には、レンズマイコン８と、電源生成部９と、レベルシフタ部１０と、がある。
【００３１】
レンズマイコン８は、例えばＣＰＵのようなマイコンであり、レンズ内の各部の動作を制御する。また、レベルシフタ部１０、マウント３、レベルシフタ部７を介して、カメラ１内のカメラマイコン４と通信を行う。
【００３２】
電源生成部９は、例えばスイッチングレギュレータやリニアレギュレータのような電源回路であり、ＶＤＤ端子３ａに供給される電源から、レンズ内の各回路の動作に必要な電源を生成する。
【００３３】
レベルシフタ部１０は、例えばレベルシフト回路であり、レンズマイコン８から出力される３Ｖのデータ信号を、ＶＤＤ端子３ａから供給される電圧に変換して、ＤＬＣ端子３ｃに出力する。また、ＶＤＤ端子３ａと同じ電圧でＬＣＬＫ端子３ｂから入力されるクロック信号と、ＤＣＬ端子３ｃから入力されるデータ信号を、レンズマイコン８に入力可能な３Ｖの電圧に変換する。
【００３４】
＜電圧供給部６の構成＞
図１（Ｂ）は図１（Ａ）に示すカメラ１内の電圧供給部６を示す図である。
【００３５】
電圧供給部６は電圧切替部２０と、ディスチャージ部２１と、抵抗値選択部２２を有する。
【００３６】
電圧切替部２０はスイッチ２０ａ、スイッチ２０ｂを有する。スイッチ２０ａはカメラマイコン４からの制御信号ＳＷＡ＿ＯＮによってオンオフが制御される。スイッチ２０ｂはカメラマイコン４からの制御信号ＳＷＢ＿ＯＮによってオンオフが制御される。電圧切替部２０には、図１（Ａ）の電源生成部５から５Ｖの電圧と、３．３Ｖの電圧がそれぞれ入力され、スイッチ２０ａ、スイッチ２０ｂの一方のみをオンにして、入力された電圧の内どちらか一方をＶＤＤ端子３ａに供給する。また、スイッチ２０ａ、スイッチ２０ｂを両方オフにすることで、ＶＤＤ端子３ａに供給する電圧を遮断することができる。
【００３７】
ディスチャージ部２１は、電圧切替部２０によって電圧を５Ｖから３．３Ｖに切り替える際、ＶＤＤ端子３ａに接続される交換レンズ２の非図示の負荷容量に充電された電荷を放電する。ディスチャージ部２１は抵抗値の異なる複数のディスチャージパスを備え、どのパスでディスチャージを行うかを抵抗値選択部２２によって設定される。
【００３８】
抵抗値選択部２２は、例えばレジスタとＣＭＯＳ論理回路から構成され、カメラマイコン４からの制御信号ＤＩＳ＿ＳＥＬを受け、ディスチャージ部２１に備えられた抵抗値の異なる複数のディスチャージパスの内、どのパスでディスチャージを行うかを設定する。また、カメラマイコン４からの制御信号ＤＩＳ＿ＯＮを受け、ＤＩＳ＿ＯＮ信号がＨｉｇｈの時のみディスチャージを行うようにディスチャージ部２１を制御する。
【００３９】
＜フローチャート、タイムチャート＞
図２は本発明の実施例１に係るカメラ１と交換レンズ２において、カメラ１が交換レンズ２の装着を検知してから、ＶＤＤ端子３ａに供給する電圧を決定して通信を開始するまでの動作を示すフローチャートである。
【００４０】
図３は本発明の実施例１に係るカメラ１と交換レンズ２における、ＭＩＦ端子３ｅ、ＶＤＤ端子３ａ、電圧供給部６内の制御信号ＤＩＳ＿ＯＮのタイムチャートである。
【００４１】
以下、図２、３を参照して本発明の第一実施例における、カメラ１と交換レンズ２の動作を示す。
【００４２】
はじめに、図２のＳ１０１（図３のｔ１０１に対応）では、カメラマイコン４はＭＩＦ端子がＧＮＤ端子と導通したことを検出することによって、交換レンズ２が装着されたことを検知する。
【００４３】
次に、図２のＳ１０２（図３のｔ１０２に対応）では、電圧供給部６は、ＶＤＤ端子３ａに５Ｖの電圧を供給開始する。
【００４４】
図２のＳ１０３では、図３のｔ１０２でカメラマイコン４がＶＤＤ端子３ａに５Ｖの電圧を供給開始してから、図３のｔ１０３で電圧検出部１１がＶＤＤ端子電圧３ａの電圧が５Ｖに達したことを検知するまでの時間ｔｃｈｇを、カメラマイコン４が計時する。また、カメラマイコン４は、図３のｔ１０２からｔ１０３の期間に、ＶＤＤ端子電圧３ａに流れ込む電流値を電流測定部１２によって定期的に測定し、その平均値Ｉｃｈｇを算出する。
【００４５】
図２のＳ１０４では、Ｓ１０３で計時した時間ｔｃｈｇと、Ｓ１０３で測定した電流値Ｉを、以下の式（１）に代入して交換レンズ２の負荷容量値Ｃを算出する。ただし、Ｖ１は充電後の電圧（５Ｖ）を表す。
【００４６】
【数１】
2017146325.tif 000003
図２のＳ１０５では、カメラ１は交換レンズ種別判別手段により、装着された交換レンズ２が５Ｖのみ対応であるか、５Ｖと３．３Ｖに両方対応可能であるかを判別する。  
【００４７】
装着された交換レンズ２が５Ｖのみ対応可能である場合には、ＶＤＤ端子３ａの電圧は５Ｖのままにして電圧の設定を完了する。その後、カメラ１と交換レンズ２は５Ｖの通信を開始する。
【００４８】
装着された交換レンズ２が５Ｖと３．３Ｖの両方に対応可能な交換レンズである場合、図２のＳ１０６で、電流測定部１２が交換レンズ２の負荷電流値ＩＬを測定する。
【００４９】
図２のＳ１０７では、カメラマイコン４は目標の時間ｔｓｗでＶＤＤ端子３ａの電圧を５Ｖから３．３Ｖ電圧を切り替えるためにカメラ１内のディスチャージ部２１でディスチャージする必要がある電流値Ｉｄｉｓを、以下の式（２）を用いて算出する。ただし、Ｃは交換レンズの負荷容量値を、Ｖ１は電圧切替前の電圧（５Ｖ）を、Ｖ２は電圧切替後の電圧（３．３Ｖ）を、ＩＬ  は交換レンズ２の負荷電流を表す。
【００５０】
【数２】
2017146325.tif 000004
図２のＳ１０８では、カメラマイコン４は、ディスチャージ部２１に用意された複数の異なる抵抗値のディスチャージパスの内、図２のＳ１０７で算出した電流値に最も近い電流を流すことのできる抵抗値のパスでディスチャージを行うように抵抗値選択部２２を設定する。ただし、図２のＳ１０７で算出した電流値の計算結果が０以下である場合は、ディスチャージ部２１は電圧切替時にディスチャージは行わないようにする。
【００５１】
なお、ディスチャージ部２１には、負荷容量Ｃが想定される最大値かつ、負荷電流ＩＬが想定される最小値の交換レンズ２でも、目標の時間ｔｓｗで電圧切替が行えるような抵抗値を備える必要がある。例えば、交換レンズ２の負荷容量Ｃの最大値の想定が１００ｕＦ、負荷電流ＩＬの最小値の想定が０ｍＡの場合、式（２）より目標の時間ｔｓｗで電圧切替を行うために約１７０ｍＡの電流を流すことができる抵抗値のディスチャージパスが必要である。そのため、最大で約１７０ｍＡの電流を流すことができるようにディスチャージ部２１の抵抗値を備える必要がある。例えば、表１のように約１７０ｍＡを流すことができる抵抗値のディスチャージパスと、それよりも小さい電流を流すことができる抵抗値のディスチャージパスを複数備える。
【００５２】
【表１】
2017146325.tif 000005
図２のＳ１０９（図３のｔ１０９に対応）では、電圧切替部２０はＶＤＤ端子３ａに供給する電圧を５Ｖから３．３Ｖに切り替える。同時に、カメラマイコン４はＤＩＳ＿ＯＮをＨｉｇｈにして、ディスチャージ２１は、抵抗値選択部２２により設定された抵抗値のパスでディスチャージを開始する。
【００５３】
図２のＳ１１０（図３のｔ１１０に対応）では、カメラマイコン４がディスチャージの開始から一定時間が経過したことを計時した後、ＤＩＳ＿ＯＮをＬｏｗにして、ディスチャージ部２１はディスチャージを停止する。
【００５４】
以上によりＶＤＤ端子３ａの電圧設定が完了し、その後、カメラ１と交換レンズ２は３．３Ｖの通信を開始する。
【実施例２】
【００５５】
本発明の実施例１では、交換レンズ２の負荷容量と負荷電流を、カメラ１内の回路で測定、算出した。そのため、カメラ１内には、交換レンズ２の負荷容量、負荷電流を測定、算出するための回路が必要になる。
【００５６】
しかし、交換レンズ２があらかじめ負荷容量と負荷電流の値を記憶しておき、カメラ１に通知することができれば、カメラ１内に交換レンズ２の負荷容量、負荷電流を測定するための回路は不要となる。
【００５７】
そこで、本実施例では、交換レンズ２があらかじめ記憶している負荷容量と負荷電流の値をカメラ１に通知する例について述べる。
【００５８】
図４は本発明の実施例２に係るカメラ１と交換レンズ２において、カメラ１が交換レンズ２の装着を検知してから、ＶＤＤ端子３ａに供給する電圧を決定して通信を開始するまでの動作を示すフローチャートである。
【００５９】
以下、図４を参照して本発明の第二の実施例における、カメラ１と交換レンズ２の動作を示す。
【００６０】
図４のＳ２０１、Ｓ２０２、Ｓ２０５、Ｓ２０７、Ｓ２０８、Ｓ２０９、Ｓ２１０は、それぞれ図２のＳ１０１、Ｓ１０２、Ｓ１０５、Ｓ１０７、Ｓ１０８、Ｓ１０９、Ｓ１１０と同様である。
【００６１】
図４では、図２のＳ１０３、Ｓ１０４、Ｓ１０６に当たるステップは削除されている。
【００６２】
図４のＳ２０６では、カメラ１は、交換レンズ２の負荷容量と、交換レンズ２の負荷電流の値を、交換レンズ２との通信によって取得する。
【００６３】
本実施例では、図４のＳ２０６において、交換レンズ２の負荷容量値と負荷電流値を通信によって取得するため、負荷容量値と負荷電流値を測定するための回路が不要となり、回路規模を縮小する事ができる。
【実施例３】
【００６４】
本発明の実施例１、実施例２では、ディスチャージ部２１によるディスチャージを開始した後、カメラマイコン４が一定時間が経過したことを計時してから停止していた。
【００６５】
しかし、一定時間の経過前にＶＤＤ端子３ａの電圧切替が完了してしまう場合、ディスチャージ部２１が電圧切替の完了後に不要なディスチャージ電流を引いて、アンダーシュートが生じたり、不要なディスチャージ期間の分、消費電力を余分に消費してしまう場合がある。
【００６６】
そこで、本実施例では、ＶＤＤ端子３ａの電圧切替の完了と同時に、ディスチャージ部２１によるディスチャージを停止する例について述べる。
【００６７】
図５は本発明の実施例３に係るカメラ１と交換レンズ２において、カメラ１が交換レンズ２の装着を検知してから、ＶＤＤ端子３ａに供給する電圧を決定して通信を開始するまでの動作を示すフローチャートである。図６は本発明の実施例３に係るカメラ１と交換レンズ２における、ＭＩＦ端子３ｅ、ＶＤＤ端子３ａ、電圧供給部６内の制御信号ＤＩＳ＿ＯＮのタイムチャートである。
【００６８】
以下、図５、図６を参照して本発明の第二の実施例における、カメラ１と交換レンズ２の動作を示す。
【００６９】
図５のＳ３０１、Ｓ３０２、Ｓ３０５、Ｓ３０６、Ｓ３０７、Ｓ３０８、Ｓ３０９は、それぞれ図４のＳ２０１、Ｓ２０２、Ｓ２０５、Ｓ２０６、Ｓ２０７、Ｓ２０８、Ｓ２０９と同様である。図６のｔ３０１〜ｔ３０９までのタイムチャートは、図３のｔ１０１〜ｔ１０９までのタイムチャートと同様である。
【００７０】
図５のＳ３１１では、電圧検出部１１がＶＤＤ端子３ａの電圧が３．３Ｖ以下まで低下したかを判別する。ＶＤＤ端子３ａの電圧が３．３Ｖよりも高い場合はディスチャージ部２１はディスチャージを続ける。
【００７１】
ＶＤＤ端子３ａの電圧が３．３Ｖ以下であれば、図５のＳ３１２（図６のｔ３１２に対応）で、カメラマイコン４はＤＩＳ＿ＯＮをＬｏｗにして、ディスチャージ部２１はディスチャージを停止する。
【００７２】
本実施例では、図５のＳ３１１、Ｓ３１２において、電圧検出部１１がＶＤＤ端子３ａの電圧が所定値まで下がったことを検知してから、ディスチャージ部２１がディスチャージを停止する。そのため、電圧切替の完了後に不要なディスチャージ電流を引いて、アンダーシュートが生じたり、余分な電力を消費することを防止することができる。
【００７３】
本発明の実施例１、実施例２、実施例３、では、レンズ種別を判別手段によって判別したが 、カメラマイコン４がレンズマイコン４と通信を行い、レンズ種別の判別を行うための情報をやり取りすることで、レンズの種別を判別してもよい。
【符号の説明】
【００７４】
１  カメラ、２  交換レンズ、３  マウント
【図１】
2017146325.tif 000006
【図２】
2017146325.tif 000007
【図３】
2017146325.tif 000008
【図４】
2017146325.tif 000009
【図５】
2017146325.tif 000010
【図６】
2017146325.tif 000011